(57)【要約】【課題】簡単な構造で省電力での明るい照明機能と曇り止め機能を併せ持つ実用的な鏡提供する。【解決手段】鏡本体の所要範囲に光線透過部を設け、鏡本体の背面側には、前記透明部位に対応した位置に発光ダイオード灯具の放熱側を固定した面状放熱部材を対峙させている。【選択図】図１
2008220493.tif 000002
【特許請求の範囲】
【請求項１】
鏡本体１の所要範囲に光線透過部１０を設け、鏡本体１の背面側には、前記光線透過部に対応した位置に発光ダイオード灯具３の放熱側を固定した面状放熱部材２を対峙させたことを特徴とする照明付き鏡。
【請求項２】
面状放熱部材２が鏡本体１とほぼ同じ面積を有し、複数個の発光ダイオード灯具３が相互に間隔をおいて配置固定されている請求項１に記載の照明付き鏡。
【請求項３】
面状放熱部材２は、発光ダイオード灯具３が配置固定されていない部分に鏡本体１の背面に近接又は接触する放熱用突部２ａを有している請求項１に記載の照明付き鏡。
【請求項４】
発光ダイオード灯具３がカード形ＬＥＤモジュールである請求項１〜３のいずれかに記載の照明付き鏡。
【発明の詳細な説明】
【技術分野】
【０００１】
本発明は鏡とりわけ照明付き鏡に関する。
【背景技術】
【０００２】
鏡は家庭、店舗、事業所などあらゆる場所において汎用されているが、暗い時には機能が低下し、顔や姿などを十分に映し出すことができなくなったり、影が出たりする。
そこで、従来、鏡の外縁近傍に照明器具を配して照明を行なうようにしたものや、鏡の背後に照明器具を配して間接照明を行なうようにしたものが知られている。
【０００３】
しかし、鏡が浴室、洗面所、台所などの湿度環境にあり、あるいは多人数の集まる場所など温度変化が起こるような環境にあるような場合には、ガラス表面が結露して曇り、鮮明に映し出せなくなる。
【０００４】
この防曇策として、従来では、鏡と背後のボード間にフイルム状などのヒータを配し、曇りが生じたときに通電して加熱する方式が採用されていた。
しかし、このような方式では、鏡に対する照明用の機器・配線とは別に、曇り止め専用のヒータと配線を必要とするので、構造の複雑化を招くとともにコストの上昇を招き、また照明と別のスイッチであるため、回路の開き忘れがしばしば起って、無駄な電力を消費する問題があった。
【発明の開示】
【発明が解決しようとする課題】
【０００５】
本発明は前記のような問題点を解消するためになされたもので、その目的とするところは、簡単な構造で省電力での明るい照明機能と曇り止め機能を併せ持つ実用的な鏡提供することにある。
【課題を解決するための手段】
【０００６】
上記目的を達成するため本発明は、鏡本体の所要範囲に光線透過部を設け、鏡本体の背面側には、前記光線透過部に対応した位置に発光ダイオード灯具の放熱側を固定した面状放熱部材を対峙させたことを特徴としている。
【発明の効果】
【０００７】
本発明によるときには、発光ダイオード灯具に通電することにより鏡本体の透明部から高い輝度の光が照射されるので、暗所においても明るい鏡面を形成することができる。しかも、発光ダイオード灯具の高温の発熱がマウント手段を兼ねた熱伝導性のよい面状放熱部材を介して背面側から鏡本体に放熱されるので、自動的にかつ確実に雲止めを図ることができ、雲止めヒータの消し忘れも生じない。
灯具が発光ダイオードであるため長寿命で消費電力も少なくて済み、しかも曇り止めヒータも兼ねるので経済的である。
【発明を実施するための最良の形態】
【０００８】
面状放熱部材が鏡本体とほぼ同じ面積を有し、複数個の発光ダイオード灯具が相互に間隔をおいて配置固定されている。
これによれば、放熱面が広いので発光ダイオード灯具の冷却効果がよいとともに、鏡本体の全面の曇り止めを確実に行える効果がある。
【０００９】
面状放熱部材は、発光ダイオード灯具が配置固定されていない部分に鏡本体の背面に近接又は接触する放熱用突部を有している。
これによれば、放熱が空気層で断熱されずに鏡本体に伝達されやすくなるので、曇り止め効果が高くなる。
【００１０】
発光ダイオード灯具がカード形ＬＥＤモジュールである。
これによれば、輝度が高くしかも厚さが薄いので、照明付きでありながら鏡全体をコンパクト化することができる。
【実施例１】
【００１１】
以下本発明の実施例を添付図面を参照して説明する。
図１ないし図４は本発明による照明付き鏡の一実施例を示しており、１は鏡本体、２は鏡本体１の背面側に対峙して配置された面状放熱部材、３は発光部を鏡本体に向けるように面状放熱部材に配置固定された複数個の発光ダイオード灯具である。
【００１２】
前記鏡本体１は、図３のように、板ガラス１ａの背面に銀めっき（広義）などにより反射膜１ｂを形成し、これの上にめっきなどにより銅膜１ｃを形成し、これの上に保護用の樹脂膜１ｄを形成して構成されているが、本発明は、前記鏡本体１の所望領域（この例では左右の縁部付近）に、前記反射膜１ｂと銅膜１ｃとを有しない光線透過部１０を設けており、この実施例では、間隔をおいて複数が設けられている。光線透過部１０は透明状をなし、発光ダイオード灯具３の放光面積と近似した大きさを有している。輪郭は矩形状、円形状、ハート状など任意である。
【００１３】
前記面状放熱部材２は、アルミニウムで代表される良熱伝導性材からなっており、前記鏡本体１とほぼ同じ広い面積を有し、鏡本体１に接近して位置し、枠への嵌合、接着など所望の固定要素や手段４により鏡本体１と一体に組付けられている。
面状放熱部材２の背面側には必要に応じて放熱を制限する部材５が設けられる。これは面板のほか、多孔板、スリット板などを含む。もちろん鏡本体１と面状放熱部材２は前面開口のボックスに納められてもよい。
【００１４】
前記発光ダイオード灯具３は、前記鏡本体１のそれぞれの光線透過部１０に対応位置において、発光面が光線透過部１０に対峙し、放熱面側が面状放熱部材２に密接するようにマウントされており、電源用配線３０が図示しないトランスを介し電源コンセントに接続されるようになっている。
発光ダイオード灯具３は、この例では、カード型ＬＥＤモジュール３Ａと支持部体３Ｂを有し、支持部体３Ｂは、電源用配線３０が接続されたコネクタ（図示せず）を有し、それより前方にカード型ＬＥＤモジュール３Ａの側部を係止するヨーク状のレール枠３１を備えており、支持部体３Ｂはねじ等の固定部材３２により面状放熱部材２に固定されている。
【００１５】
前記カード型ＬＥＤモジュール３Ａは、それ自体は公知であり、図７のように、配線パターンを一体成形した放熱基板３００上に、多数たとえば３６個や６４個のＬＥＤと蛍光体を点状に配した発光部３０１を層状に設けたもので、放熱基板の一側にはパターン状の端子部３０２を設けており、発光部３０１の表面にはレンズが、放熱基板３００の背面にはアルミニウムなど熱伝導性のよい金属からなる放熱面部３０３を層状に設けている。
【００１６】
前記カード型ＬＥＤモジュール３Ａは厚さが２ｍｍ程度であり、レール枠３１の開放側から押し込まれることにより端子部３０２がコネクタに接続され、同時に両サイドが係止され、背面の放熱面部３０３が面状放熱部材２の表面に密接する。これによりカード型ＬＥＤモジュール３Ａからの放熱は体積が大きい面状放熱部材２に伝達され、効率よく拡散させることができる。
【００１７】
前記面状放熱部材２は、前記発光ダイオード灯具３の配設されていない領域に、鏡本体１の背面に向かって突出した良熱伝導性の熱放散用突部２ａを有している。この熱放散用突部２ａは面状放熱部材２に一体形成されていてもよいし、薄い板を面状放熱部材２に重合固定していてもよい。熱放散用突部２ａの先端面は鏡本体裏面に接してもよいし、近接させていてもよい。
【００１８】
本発明品は従来の鏡と同じように所望の箇所に組み込まれるもので、通電すれば、各発光ダイオード灯具３の多数個のＬＥＤが発光し、その輝度の高い光線束が鏡本体１の光線透過部１０を通して放散されるので、鏡面が明るく照らされ、視認性を高くすることができる。
【００１９】
しかも、各発光ダイオード灯具３は、反発光面側の放熱面部からの放熱が８０℃以上と高いが、その放熱側が体積の大きい面状放熱部材２に密着固定されているので効率よく面状放熱部材２に伝達され拡散される。そして、面状放熱部材２は放熱面が鏡本体１の裏面に近く対峙しているので、面状放熱部材２から放熱された熱が図３の矢印のように銅膜１ｃや反射膜１ｂに伝熱され、鏡本体１を加温する。このため、湯気などによる鏡本体１のガラス面の曇りが防止され、あるいは曇りが除去され、クリアーな状態を形成・維持することができる。
【００２０】
しかも、この実施例では、発光ダイオード灯具３の配置されていない面状放熱部材部分が、鏡本体１の裏面に接近あるいは接触する突部２ａを備えているので、空気層による断熱が低減し、突部２ａから鏡本体１にほぼダイレクトに熱が伝達される。このため、面積の大きい鏡本体１の場合などにおいても効果的に曇り止めを行なうことができる。
【００２１】
上記実施例は本発明の一態様であり、これに限定されるものではなく、種々の変更が可能である。
１）鏡本体１の形状は任意であり、また、場合によっては、保護用の樹脂膜１ｄを省略していてもよい。
２）面状放熱部材２は、場合によっては、幾つかに分割されていてもよく、あるいは、帯状又は枠状をなし、鏡本体の縁部に沿って配され、複数個の発光ダイオード灯具が相互に間隔をおいて配置固定されていてもよい。
３）熱放散用突部２ａは、板状である場合のほか、突起群、突条群であってもよい。また、熱放散用突部２ａの面積は、光線透過部１０以外の鏡本体裏面全体に対応する大きさあってもよいし、鏡本体裏面の一部に対応する大きさあってもよい。
【００２２】
４）発光ダイオード灯具３は、カード型ＬＥＤモジュールのほか、図５（ｂ）のように、プリント基板３０４に多数のＬＥＤランプ３０５をマウントしたいわゆる砲弾型タイプなどであってもよい。
５）発光ダイオード灯具３の配置は任意であり、たとえば、鏡本体１の左右でなく、図６（ａ）のように上下、（ｂ）のように上下左右であってもよい。また、発光ダイオード灯具として大型なものを用い、縦あるいは横に一個配置してもよい。
６）本発明は、単体の状態で鏡本体１と面状放熱部材２が一体化されたユニットである場合のほか、面状放熱部材２が設置場所に固定され、その状態で鏡本体１が組付けられた場合を含む。
【産業上の利用可能性】
【００２３】
本発明の鏡は、洗面化粧用、浴室用、姿見用、ドア用、パーティション用、天井用など、家庭、店舗、事業所などのあらゆる鏡に適用することができる。
【図面の簡単な説明】
【００２４】
【図１】本発明による照明付き鏡の一例を示す部分切欠斜視図である。
【図２】分解状態を示す斜視図である。
【図３】（ａ）は図１の部分的断面図、（ｂ）はその一部拡大図である。
【図４】本発明における発光ダイオード灯具の取付け状態の一例を示す拡大斜視図である。
【図５】（ａ）（ｂ）は本発明における発光ダイオード灯具の例を示す斜視図である。
【図６】（ａ）（ｂ）は本発明の他の例を示す正面図である。
【符号の説明】
【００２５】
１  鏡本体
２  面状放熱部材
２ａ  熱放散用突部  
３  発光ダイオード灯具
３Ａ  カード型ＬＥＤモジュール
１０  光線透過部
【図１】
2008220493.tif 000003
【図２】
2008220493.tif 000004
【図３】
2008220493.tif 000005
【図４】
2008220493.tif 000006
【図５】
2008220493.tif 000007
【図６】
2008220493.tif 000008